(57)【特許請求の範囲】
【請求項１】
表示対象に係る複数の標識が所定の順序で配列されて設けられた回転表示体と、
前記複数の標識のうち一の標識を選択状態として識別可能に外部に露出させる露出部が設けられた遮蔽板と、
前記複数の標識の配列全体のうち前記選択状態となっている部分の位置を当該配列全体と対比可能に示す選択位置情報を表示する選択位置情報表示手段と、
前記回転表示体の回転動作及び前記選択位置情報表示手段の表示動作を制御する表示制御手段と、
ユーザ操作を受け付ける操作受付手段と、
を備え、
前記表示制御手段は、前記操作受付手段により受け付けられたユーザ操作に応じて前記回転表示体を回転動作させて表示させる標識を変更するとともに、当該標識の変更によって前記選択状態となる部分の位置を示すように前記選択位置情報表示手段により表示させる前記選択位置情報を変更する
ことを特徴とする電子時計。
【請求項２】
前記選択位置情報表示手段は、前記回転表示体における前記複数の標識の配置に対応する対応領域部と、当該対応領域部に対して相対移動して前記対応領域部内の何れかの位置を選択的に示す指示部と、を有し、前記対応領域部において、前記選択状態となっている部分と対応する位置を前記指示部により示すことによって前記選択位置情報を表示することを特徴とする請求項１に記載の電子時計。
【請求項３】
前記複数の標識は、前記回転表示体において前記露出部に対応する円周上に配列されて設けられ、
前記選択位置情報表示手段は、円形状の前記対応領域部において、前記選択状態となっている部分と対応する位置を前記指示部により示すことによって前記選択位置情報を表示する
ことを特徴とする請求項２に記載の電子時計。
【請求項４】
前記複数の標識は、前記回転表示体において前記露出部に対応する円弧上に配列されて設けられ、
前記選択位置情報表示手段は、前記円弧の中心角と同一の中心角を有する図形の形状をなす前記対応領域部において、前記選択状態となっている部分と対応する位置を前記指示部により示すことによって前記選択位置情報を表示する
ことを特徴とする請求項２に記載の電子時計。
【請求項５】
前記複数の標識の各々は、世界の地域を示し、
前記回転表示体には、前記複数の標識の各々により示される地域における所定の標準時からの時差に応じた順序で前記複数の標識が設けられ、
前記選択位置情報表示手段は、前記選択状態となっている部分が示す地域における前記時差の概略値を読み取り可能に示すことにより前記選択位置情報を表示する
ことを特徴とする請求項１〜４の何れか一項に記載の電子時計。
【請求項６】
現在日時を計数する計時手段と、
前記複数の標識の各々により示される地域に係る前記時差を少なくとも含む地方時設定情報を記憶する記憶手段と、
前記計時手段により計数されている日時及び前記地方時設定情報に基づいて、前記回転表示体により表示されている前記標識により示される地域に係る地方時を算出する地方時算出手段と、
を備えることを特徴とする請求項５に記載の電子時計。
【請求項７】
前記複数の標識の各々は、当該電子時計の動作に係る複数の設定種別に各々属する設定を示し、
前記回転表示体には、前記複数の標識が前記複数の設定種別ごとに設けられ、
前記選択位置情報には、前記複数の標識の各々が属する設定種別が含まれる
ことを特徴とする請求項１〜４の何れか一項に記載の電子時計。
【請求項８】
前記回転表示体により表示されている前記標識により示される設定に従って当該電子時計の動作設定を行う設定手段を備える
ことを特徴とする請求項７に記載の電子時計。
【発明の詳細な説明】
【技術分野】
【０００１】
この発明は、電子時計に関する。
【背景技術】
【０００２】
従来、指針によって現在時刻の表示を行うアナログ方式の電子時計がある。このような電子時計では、文字盤の周縁部やベゼルに動作設定に係る複数の標識を所定の円周上に設け、指針により何れかの標識を指し示させることで動作設定の表示や変更を行う技術がある。例えば、特許文献１には、文字盤に設けられた世界の各都市を示す都市標識の何れかを指針により指し示させることにより、地方時の表示に係る都市の設定を行うとともに、設定された都市に係るＵＴＣ（協定世界時）からの時差情報に基づいて当該都市の地方時を算出して表示する技術が開示されている。
【０００３】
しかしながら、上記のように文字盤やベゼルに設けられる標識の数が多くなると、電子時計の外観に表される文字が多くなって煩雑な印象を与えたり、文字盤やベゼルのデザインに制約が生じたりするという問題がある。一方、文字盤の背面側に配置された円環状の指針（回転表示体）上に複数の標識を設けて、文字盤に設けられた開口部から一部の標識を露出させることで標識の表示を行う技術がある。このような表示により、文字盤上やベゼル上の標識の数を減らすことができる。
【先行技術文献】
【特許文献】
【０００４】
【特許文献１】特開２０１２−２１１８６５号公報
【発明の概要】
【発明が解決しようとする課題】
【０００５】
しかしながら、上記従来の技術では、ユーザが回転表示体の回転操作を行う際に複数の標識の全体を視認できないため、所望の標識を表示させるために必要な回転操作の量や、当該回転操作を少なくできる回転表示体の回転方向が分かりにくく、ユーザが効率良く所望の標識を表示させ難いという課題がある。
【０００６】
この発明の目的は、ユーザが所望の標識を効率良く表示させ易い電子時計を提供することにある。
【課題を解決するための手段】
【０００７】
本発明は、上記目的を達成するため、
表示対象に係る複数の標識が所定の順序で配列されて設けられた回転表示体と、
前記複数の標識のうち一の標識を選択状態として識別可能に外部に露出させる露出部が設けられた遮蔽板と、
前記複数の標識の配列全体のうち前記選択状態となっている部分の位置を当該配列全体と対比可能に示す選択位置情報を表示する選択位置情報表示手段と、
前記回転表示体の回転動作及び前記選択位置情報表示手段の表示動作を制御する表示制御手段と、
ユーザ操作を受け付ける操作受付手段と、
を備え、
前記表示制御手段は、前記操作受付手段により受け付けられたユーザ操作に応じて前記回転表示体を回転動作させて表示させる標識を変更するとともに、当該標識の変更によって前記選択状態となる部分の位置を示すように前記選択位置情報表示手段により表示させる前記選択位置情報を変更する
ことを特徴とする電子時計である。
【発明の効果】
【０００８】
本発明に従うと、ユーザが所望の標識を効率良く表示させ易くなるという効果がある。
【図面の簡単な説明】
【０００９】
【図１】本発明の実施形態の電子時計の模式正面図である。
【図２】電子時計の内部構成を示すブロック図である。
【図３】基本時計表示設定処理のＣＰＵによる制御手順を示すフローチャートである。
【図４】世界時計表示設定処理のＣＰＵによる制御手順を示すフローチャートである。
【図５】第２の実施形態に係る電子時計の模式正面図である。
【図６】動作設定ディスクを示す正面図である。
【発明を実施するための形態】
【００１０】
（第１の実施形態）
以下、本発明の第１の実施形態を図面に基づいて説明する。
図１は、本発明の電子時計の実施形態である電子時計１の模式正面図である。
この電子時計１は、文字盤６０（遮蔽板）と、秒針２、分針３と、時針４と、日車５と、機能針６と、小分針７と、小時針８と、２４時間小針９と、都市ディスク１０（回転表示体）と、サポート針１１（指示部）などを備える。
【００１１】
文字盤６０は、図示略のケーシングの内部において一方の面が外部に露出されるように収められる。本実施形態の文字盤６０は、遮光性を有する部材からなる。文字盤６０には、時、分及び秒を示す目盛や標識（時字）が所定の円周上に設けられているが、図１では、煩雑さを避けるためこれらの目盛や標識の記載が省略されている。
【００１２】
秒針２、分針３及び時針４は、文字盤６０の略中心を回転軸として文字盤６０と当該文字盤６０の露出面を覆う図示略の透明部材（風防ガラス）との間で文字盤６０の略全面に亘って回転動作して時刻を表示する。
【００１３】
日車５は、文字盤６０の露出面とは反対側に当該文字盤６０と平行に設けられた円環状（ディスク形）の指針であり、その周縁部には、日付「１」〜「３１」をそれぞれ表す日付標識が順番に等間隔で環状に設けられている。日車５は、回転動作に応じて文字盤６０の４時３０分位置に設けられた透過小窓６１から一の日付標識が露出されることにより日付を表示する。この透過小窓６１は、ガラスやアクリル樹脂などの透明部材で覆われていても良い。
【００１４】
機能針６は、回転動作に応じて文字盤６０の９時位置に配列された曜日標識６２を指し示すことにより曜日を表示する。
秒針２、分針３、時針４、日車５及び機能針６は、ユーザが所在地として設定したホーム都市に係る地方時（ローカル日時）を表示する。以下では、このホーム都市に係る地方時の表示を基本時計表示とも記す。
【００１５】
小分針７及び小時針８は、文字盤６０の６時位置に設けられた小窓６３の内部において、世界時計（ワールドタイム）表示の機能に係る設定された都市（以下では、世界時計都市とも記す）における地方時の表示を行う。即ち、本実施形態の電子時計１では、秒針２、分針３及び時針４と、小分針７及び小時針８とにより、２箇所における地方時を同時に表示させることができる。また、２４時間小針９は、小分針７及び小時針８に連動して回転し、文字盤６０の８時位置に設けられた小窓６４の内部において世界時計表示の時刻の午前、午後を表示する。
【００１６】
都市ディスク１０は、文字盤６０の露出面とは反対側に当該文字盤６０と平行に設けられた円環状の指針であり、その周縁部には、世界時計表示の機能において設定可能な世界の地域（本実施形態では都市）を示す都市標識ＭがＵＴＣ（所定の標準時）からの時差の順番に所定の円周上に等間隔に配列されて設けられている。この都市ディスク１０では、文字盤６０の４時３０分位置に設けられた透過小窓６５（露出部）から３つの都市標識Ｍが回転動作に応じて露出されるようになっており、このうち指示標識６５１により指し示された一の都市標識Ｍが選択状態として認識可能な状態で露出される。都市ディスク１０は、このように選択状態として認識可能な状態で露出された一の都市標識Ｍを表示する。なお、指示標識６５１を設けずに、透過小窓６５から露出された３つの都市標識Ｍのうち中央の都市標識を選択状態として表示させる態様であっても良い。都市ディスク１０は、日車５と同一平面上に設けられていても良いし、日車５と一部重なるように設けられていても良い。また、透過小窓６５は、ガラスやアクリル樹脂などの透明部材で覆われていても良い。都市ディスク１０に設けられる都市標識Ｍの数は、電子時計１において設定可能なホーム都市及び世界時計都市の数に対応し、各都市標識Ｍの大きさや、都市ディスク１０及び透過小窓６５の大きさは、透過小窓６５において表示される都市標識Ｍがユーザに見易くなるように定められる。本実施形態では、都市ディスク１０に２８の都市標識Ｍが設けられている。また、都市ディスク１０には、都市を示す都市標識Ｍに加えて、又は都市標識Ｍに代えて、行政単位や国といった地域を示す標識が設けられていても良い。
【００１７】
サポート針１１は、文字盤６０の３時位置に設けられた小窓６６の時差表示領域６７（対応領域部）において、都市ディスク１０により表示されている都市標識Ｍに係るＵＴＣからの時差の概略値を読み取り可能に示す。時差表示領域６７は、複数の都市標識Ｍの配置に対応する円形状の領域であり、時差表示領域６７は、ＵＴＣに対して＋１４時間までの時差範囲を示す扇形の第１領域６７ａと、ＵＴＣに対して−１２時間までの時差範囲を示す扇形の第２領域６７ｂとからなる。サポート針１１及び時差表示領域６７は、このように時差の概略値を示すことにより、文字盤６０における複数の都市標識Ｍの配列全体のうち選択状態となっている部分の位置を当該配列全体と対比可能に示す選択位置情報の表示を行う。また、サポート針１１及び時差表示領域６７により選択位置情報表示手段が構成される。
以下、秒針２、分針３、時針４、日車５、機能針６、小分針７、小時針８、２４時間小針９、都市ディスク１０及びサポート針１１のうち一部又は全部をまとめて示す場合には、指針２〜１１などと記す。
【００１８】
図２は、電子時計１の内部構成を示すブロック図である。
電子時計１は、上述の秒針２、分針３、時針４、日車５、機能針６、小分針７、小時針８、２４時間小針９、都市ディスク１０及びサポート針１１と、複数の歯車が配列された輪列機構２１を介して秒針２を回転動作させるステッピングモータ３１と、輪列機構２２を介して分針３及び時針４を連動して回転動作させるステッピングモータ３２と、輪列機構２３を介して日車５及び機能針６を連動して回転動作させるステッピングモータ３３と、輪列機構２４を介して小分針７、小時針８及び２４時間小針９を連動して回転動作させるステッピングモータ３４と、輪列機構２５を介して都市ディスク１０を回転動作させるステッピングモータ３５と、輪列機構２６を介してサポート針１１を回転動作させるステッピングモータ３６と（以降、以上の６つのステッピングモータをまとめてステッピングモータ３１〜３６とも記す）、ステッピングモータ３１〜３６に駆動パルスを出力する駆動回路３９と、ＣＰＵ（Central Processing Unit）４１（表示制御手段、地方時算出手段、設定手段）と、ＲＯＭ（Read Only Memory）４２と、ＲＡＭ（Random Access Memory）４３（記憶手段）と、電源部４４と、操作部４５（操作受付手段）と、発振回路４６と、分周回路４７と、計時回路４８（計時手段）と、計測部４９と、標準電波受信処理部５０と、衛星電波受信処理部５２と、アンテナ５１，５３などを備えている。
【００１９】
輪列機構２１〜２６は、それぞれ、複数の歯車が噛み合わされて所定のギア比で回転する構成であり、輪列機構２１〜２６におけるそれぞれ最後の歯車は、各輪列機構に接続されるステッピングモータ３１〜３６のステップ回転に連動してそれぞれ所定角度の回転動作を指針２〜１１に伝えることで、それぞれ所望の位置（回転位置）を指し示させる。
【００２０】
ステッピングモータ３１は、駆動回路３９から１秒に１回入力される駆動パルスにより駆動（ステップ駆動）されてロータが１８０度ステップ回転動作し、輪列機構２１を介して１ステップ当たり秒針２を６度ずつ回転させる。従って、秒針２は、ステッピングモータ３１の６０回の動作により１周する。
【００２１】
ステッピングモータ３２は、駆動回路３９から１０秒に１回入力される駆動パルスにより駆動されてロータが１８０度ステップ回転動作し、輪列機構２２を介して、分針３を１ステップ当たり１度回転させるとともに時針４を１ステップ当たり１／１２度回転させる。従って、分針３は、ステッピングモータ３２の３６０回の動作により１周し、時針４は、ステッピングモータ３２の４３２０回の動作により１周する。
【００２２】
ステッピングモータ３３は、駆動回路３９から入力される駆動パルスにより駆動されてロータが１８０度ステップ回転動作し、輪列機構２３を介して機能針６を１ステップ当たり１度回転させる。また、ステッピングモータ３３は、一日のうち所定の時間、例えば２４時に駆動回路３９から入力される複数の駆動パルスにより駆動されて、輪列機構２３を介して日車５を回転させて日付標識を一日分進める。
【００２３】
ステッピングモータ３４は、駆動回路３９から１分に１回入力される駆動パルスにより駆動されてロータが１８０度ステップ回転動作し、輪列機構２４を介して、小分針７を１ステップ当たり６度回転させ、小時針８を１ステップ当たり１／２度回転させ、２４時間小針９を１ステップ当たり１／４度回転させる。従って、小分針７は、１分で小窓６３内を一周し、小時針８は、１２時間で小窓６３内を一周し、２４時間小針９は、２４時間で小窓６４内を一周する。
【００２４】
ステッピングモータ３５は、駆動回路３９から入力される駆動パルスにより駆動されてロータが１８０度ステップ回転動作し、輪列機構２５を介して都市ディスク１０を回転させて透過小窓６５において表示される都市標識Ｍを変更させる。
【００２５】
ステッピングモータ３６は、駆動回路３９から入力される駆動パルスにより駆動されてロータが１８０度ステップ回転動作し、輪列機構２６を介してサポート針１１を回転させる。
各指針２〜１１は、ステッピングモータ３１〜３６のロータが逆方向にステッピング回転動作することにより逆転方向に回転動作される。
【００２６】
駆動回路３９は、ＣＰＵ４１からの制御信号に従ってステッピングモータ３１〜３６に所定電圧の駆動パルスを出力してステッピングモータ３１〜３６のロータを１回所定角度（本実施形態では１８０度）回転動作させる。
【００２７】
ＣＰＵ４１は、電子時計１における各種演算処理を行うと共に全体動作の統括制御を行う。ＣＰＵ４１は、日時や都市標識Ｍの表示に係る指針動作を制御する。また、ＣＰＵ４１は、設定されたホーム都市に係るタイムゾーン設定情報及び夏時間設定情報からなる地方時設定に基づいて計時回路４８の計数する日時を適切な地方時に換算し、換算された地方時を秒針２、分針３、時針４、日車５及び機能針６により表示させて基本時計表示を行わせる。また、ＣＰＵ４１は、世界時計表示の機能において設定された都市（世界時計都市）に係る地方時設定に基づいて計時回路４８の計数する日時を適切な地方時に換算し、換算された地方時を小分針７、小時針８及び２４時間小針９により表示させて世界時計表示を行わせる。また、ＣＰＵ４１は、標準電波受信処理部５０を動作させて日時を取得したり、衛星電波受信処理部５２を動作させて日時や位置情報を取得したりする。ＣＰＵ４１は、得られた日時に基づいて計時回路４８の計数する日時を修正する。また、ＣＰＵ４１は、操作部４５により受け付けられたユーザ操作に応じて電子時計１の動作モードの設定を変更し、設定された動作モードに応じて、基本時計表示、コンパス、高度計、気圧計、潮汐計などの機能を実行させる。
【００２８】
ＲＯＭ４２は、ＣＰＵ４１により実行される各種制御用のプログラムや設定データを記憶する。設定データには、都市時差情報４２ａが含まれる。
【００２９】
都市時差情報４２ａには、都市ディスク１０の外縁に設けられた都市標識Ｍに係る都市のＩＤ、位置（例えば、都市ディスク１０の所定の基準位置からのステップ数）、及び当該都市に係る地方時設定情報が記憶されている。この地方時設定情報には、当該都市におけるＵＴＣからの時差を示すタイムゾーン設定情報と、当該都市における夏時間の実施期間及び実施時のシフト時間を示す夏時間設定情報とが含まれる。
【００３０】
ＲＡＭ４３は、ＣＰＵ４１に作業用のメモリ空間を提供し、一時データを記憶する。また、ＲＡＭ４３には、ホーム都市及び世界時計都市としてそれぞれ設定された都市を示すデータ（都市のＩＤ）、日時情報及び位置情報取得の履歴、指針位置を示すデータなどが記憶される。
【００３１】
電源部４４は、ＣＰＵ４１を介して電子時計１の各部に電力を供給する。この電源部４４は、特には制限されないが、例えば、太陽電池と二次電池とを組み合わせて長期間継続的に電力供給を可能としたものである。
【００３２】
操作部４５は、外部操作スイッチ、例えば、押しボタンやりゅうずなどを含み、ユーザによる押下や回転などの操作を受け付けて電気信号に変換してＣＰＵ４１に出力する。操作部４５のりゅうずは、ケーシングから２段階の引き出し操作が可能となっており、１段階又は２段階引き出された状態で所定の角度の回転操作が行われることにより操作信号が出力され、各種設定に用いられる。
この操作部４５とＣＰＵ４１では、ユーザによるりゅうずの引き出し操作及び回転操作に応じて、都市ディスク１０を回転させて都市ディスク１０により表示させる都市標識Ｍを変更するとともに、当該表示された都市標識Ｍをホーム都市又は世界時計都市に設定することができるようになっている。
【００３３】
発振回路４６は、所定の周波数信号を発振して出力する。分周回路４７は、発振回路４６から入力された周波数信号を分周し、電子時計１で用いられる各周波数の信号を生成して出力する。計時回路４８は、分周回路４７から出力された所定の周波数（例えば、１Ｈｚ）の信号の入力回数を計数し、時刻データに加算していくことで現在時刻を保持する。
【００３４】
計測部４９は、地磁気センサ及び気圧センサを有し、これら各センサから出力された信号をＣＰＵ４１に出力する。地磁気センサからの出力データは、電子時計１の動作モードがコンパスに設定された場合において行われる方位の算出に用いられ、地磁気センサからの出力データは、電子時計１の動作モードが高度計及び気圧計にそれぞれ設定された場合において行われる高度及び気圧の算出に用いられる。
【００３５】
標準電波受信処理部５０は、アンテナ５１を用いて、長波長帯の電波により時刻情報を符号化送信している標準電波を受信して、符号化された信号（タイムコード）を復調、復号してＣＰＵ４１に出力する。標準電波受信処理部５０による長波長帯の電波への同調周波数は、ＣＰＵ４１の制御により受信対象とされる標準電波送信局からの送信周波数に応じて調整される。上記復号されたタイムコードから取得された時刻データがＣＰＵ４１から計時回路４８に送られて上書きされることで、現在時刻データが上書き修正される。
【００３６】
衛星電波受信処理部５２は、アンテナ５３を用いてＬ１帯（１．５７５４２ＧＨｚ）の電波を受信し、測位衛星、ここでは、ＧＰＳ（Global Positioning System）衛星からのスペクトル拡散された送信電波を復調、復号して衛星信号（航法メッセージ）を解読する。また、衛星電波受信処理部５２は、当該解読結果に基づいて、現在の日時や現在位置を算出する。解読された衛星信号の内容は、所定のフォーマットでＣＰＵ４１に出力される。衛星電波受信処理部５２の動作は、ＣＰＵ４１により、電子時計１の他の各部の動作とは独立にオンオフの制御がなされる。衛星電波受信処理部５２の動作がオフされている場合には、併せて衛星電波受信処理部５２への電力供給が中断されて省電力化が図られている。
【００３７】
次に、電子時計１における地方時の設定動作について説明する。
上述の通り、電子時計１では、設定されたホーム都市における地方時を示す基本時計表示、及び設定された世界時計都市における地方時を示す世界時計表示を行うことができる。
このホーム都市及び世界時計都市の設定は、ユーザが手動で行うことができる。即ち、操作部４５のりゅうずが２段階引き出された状態でりゅうずを回転させて都市ディスク１０により表示される都市標識Ｍを変更することで、変更後の都市標識Ｍをホーム都市に設定することができる。また、当該りゅうずが１段階引き出された状態でりゅうずを回転させて都市ディスク１０により表示される都市標識Ｍを変更することで、変更後の都市標識Ｍを世界時計都市に設定することができる。
【００３８】
ここで、電子時計１では、都市ディスク１０の回転動作に合わせてサポート針１１が回転動作し、サポート針１１により、小窓６６内の時差表示領域６７において都市ディスク１０により選択状態として表示されている都市標識Ｍが示す都市におけるＵＴＣからの時差の概略値が示されるようになっている。
例えば、図１では、透過小窓６５において都市ディスク１０により「ＴＫＯ（東京）」が表示されるとともに、小窓６６においてサポート針１１によりＵＴＣに対して＋９時間の位置が示されている。この状態でりゅうずの回転操作に応じて都市ディスク１０が反時計回りに回転動作されて、都市ディスク１０により表示される都市標識Ｍが、所在地の経度がより大きい都市に順に変更されると、サポート針１１は、ＵＴＣに対するプラスの時差が大きくなる方向（マイナスの時差が小さくなる方向）に、即ち時計回りに回転動作されて、変更後の都市標識Ｍに係る時差の概略値を示す。また、りゅうずの反対方向の回転操作に応じて都市ディスク１０が時計回りに回転動作されて、都市ディスク１０により表示される都市標識Ｍが、所在地の経度が小さい都市に順に変更されると、サポート針１１は、ＵＴＣに対するプラスの時差が小さくなる方向（マイナスの時差が大きくなる方向）に、即ち反時計回りに回転動作されて、変更後の都市標識Ｍに係る時差の概略値を示す。
このように、電子時計１では、都市ディスク１０により表示されている都市標識Ｍに係る都市のＵＴＣに対する時差の概略値が常にサポート針１１により示される。
【００３９】
上記のように都市ディスク１０により表示される都市標識Ｍが変更されると、りゅうずが２段階引き出されている場合には、変更後の都市標識Ｍにより示される都市の地方時設定に基づいて地方時が算出されて基本時計表示の表示時刻が変更され、りゅうずが押し込まれることにより当該都市がホーム都市として設定される。また、りゅうずが１段階引き出されている場合には、変更後の都市標識Ｍにより示される都市の地方時設定に基づいて地方時が算出されて世界時計表示の表示時刻が変更され、りゅうずが押し込まれることにより当該変更後の都市が世界時計都市として設定される。
【００４０】
次に、本実施形態の電子時計１において上述した基本時計表示及び世界時計表示に係る地方時の設定動作をそれぞれ行う場合の基本時計表示設定処理及び世界時計表示設定処理について説明する。
【００４１】
図３は、基本時計表示設定処理のＣＰＵ４１による制御手順を示すフローチャートである。
この基本時計表示設定処理は、ユーザにより操作部４５のりゅうずが２段階引き出された場合に呼び出されて実行される。
【００４２】
基本時計表示設定処理が開始されると、ＣＰＵ４１は、りゅうずの回転操作がなされたか否かを判別する（ステップＳ１０１）。ここでは、ＣＰＵ４１は、操作部４５からりゅうずの回転に応じた操作信号が出力された場合にりゅうずの回転操作がなされたと判別する。
【００４３】
りゅうずの回転操作がなされたと判別された場合には（ステップＳ１０１で“Ｙｅｓ”）、ＣＰＵ４１は、操作部４５から出力された操作信号に基づいてりゅうずの回転操作の量及び方向を取得し、当該量及び方向と都市ディスク１０の現在位置を示す位置データとから、りゅうずの回転操作に応じた都市ディスク１０の移動先の位置を設定する。また、ＣＰＵ４１は、当該移動先の位置に対応して表示される都市標識Ｍに係る都市の都市ＩＤを取得する（ステップＳ１０２）。
【００４４】
ＣＰＵ４１は、都市ディスク１０の現在位置及び移動先の位置をそれぞれ示す位置データの差に応じた数の駆動パルスを駆動回路３９によりステッピングモータ３５に対して出力させ、都市ディスク１０を回転動作させてりゅうずの回転操作に応じた位置に移動させる（ステップＳ１０３）。
【００４５】
ＣＰＵ４１は、ＲＯＭ４２に記憶された都市時差情報４２ａを参照し、ステップＳ１０２において取得された当該都市ＩＤに係る地方時設定情報を取得する（ステップＳ１０４）。
【００４６】
ＣＰＵ４１は、取得された地方時設定情報に応じた位置にサポート針１１を回転動作させる（ステップＳ１０５）。即ち、ＣＰＵ４１は、地方時設定情報のタイムゾーン設定情報により示されるＵＴＣからの時差と対応するサポート針１１の移動後の位置を設定し、当該位置を示す位置データとサポート針１１の現在位置データとの差に応じた数の駆動パルスを駆動回路３９によりステッピングモータ３６に対して出力させて、サポート針１１を回転動作させる。なお、地方時設定情報の夏時間設定情報により示されるシフト時間をさらに考慮してサポート針１１の移動後の位置データを取得しても良い。
【００４７】
ＣＰＵ４１は、ステップＳ１０４で取得された地方時設定情報に基づいて基本時計表示に係るローカル日時を修正し（ステップＳ１０６）、当該修正されたローカル日時に基づいて、分針３及び時針４を回転動作させて当該ローカル日時に係る時刻を表示させる（ステップＳ１０７）。
【００４８】
ＣＰＵ４１は、りゅうずが押し込まれた状態（引き出されていない状態）であるか否かを判別し（ステップＳ１０８）、りゅうずが押し込まれた状態ではないと判別された場合には（ステップＳ１０８で“Ｎｏ”）、処理をステップＳ１０１に移行させる。
【００４９】
りゅうずが押し込まれた状態であると判別された場合には（ステップＳ１０８で“Ｙｅｓ”）、ＣＰＵ４１は、基本時計表示設定処理の開始後にりゅうずの回転操作が行われて都市ディスク１０が回転したか否かを判別する（ステップＳ１０９）。都市ディスク１０が回転していないと判別された場合には（ステップＳ１０９で“Ｎｏ”）、ＣＰＵ４１は、基本時計表示設定処理を終了させる。
【００５０】
都市ディスク１０の回転が行われたと判別された場合には（ステップＳ１０９で“Ｙｅｓ”）、ＣＰＵ４１は、ＲＡＭ４３に記憶されたホーム都市の設定を示す都市ＩＤをステップＳ１０２で取得された都市ＩＤに変更して、当該取得された都市ＩＤに係る都市をホーム都市として設定するとともに、ステップＳ１０６で修正されたローカル日時に基づいて日車５及び機能針６を回転動作させて当該ローカル日時に係る日付及び曜日を表示させる（ステップＳ１１０）。
ステップＳ１１０の処理が終了すると、ＣＰＵ４１は、基本時計表示設定処理を終了させる。
【００５１】
図４は、世界時計表示設定処理のＣＰＵ４１による制御手順を示すフローチャートである。
この世界時計表示設定処理は、ユーザにより操作部４５のりゅうずが１段階引き出された場合に呼び出されて実行される。
【００５２】
世界時計表示設定処理が開始されると、ＣＰＵ４１は、ステップＳ２０１〜Ｓ２０５に係る処理を実行する。ステップＳ２０１〜Ｓ２０５に係る処理は、それぞれ上述した基本時計表示設定処理のステップＳ１０１〜Ｓ１０５に係る処理と同一であるため説明を省略する。
【００５３】
ＣＰＵ４１は、ステップＳ２０４で取得された地方時設定情報に基づいて世界時計表示に係る世界時計の時刻を修正し（ステップＳ２０６）、当該修正された時刻に基づいて、小分針７、小時針８及び２４時間小針９を回転動作させて世界時計に係る時刻を表示させる（ステップＳ２０７）。
【００５４】
ＣＰＵ４１は、りゅうずが押し込まれた状態（引き出されていない状態）であるか否かを判別し（ステップＳ２０８）、りゅうずが押し込まれた状態ではないと判別された場合には（ステップＳ２０８で“Ｎｏ”）、処理をステップＳ２０１に移行させる。
【００５５】
りゅうずが押し込まれた状態であると判別された場合には（ステップＳ２０８で“Ｙｅｓ”）、ＣＰＵ４１は、世界時計表示設定処理の開始後にりゅうずの回転操作が行われて都市ディスク１０が回転したか否かを判別する（ステップＳ２０９）。都市ディスク１０が回転していないと判別された場合には（ステップＳ２０９で“Ｎｏ”）、ＣＰＵ４１は、世界時計表示設定処理を終了させる。
【００５６】
都市ディスク１０の回転が行われたと判別された場合には（ステップＳ２０９で“Ｙｅｓ”）、ＣＰＵ４１は、ＲＡＭ４３に記憶された世界時計都市の設定を示す都市ＩＤをステップＳ２０２で取得された都市ＩＤに変更して、当該取得された都市ＩＤに係る都市を世界時計都市として設定する（ステップＳ２１０）。
ステップＳ２１０の処理が終了すると、ＣＰＵ４１は、世界時計表示設定処理を終了させる。
【００５７】
以上のように、本実施形態に係る電子時計１は、表示対象に係る複数の都市標識Ｍが所定の順序で配列されて設けられた都市ディスク１０と、複数の都市標識Ｍのうち一の都市標識Ｍを選択状態として識別可能に外部に露出させる透過小窓６５が設けられた文字盤６０と、複数の都市標識Ｍの配列全体のうち選択状態となっている部分の位置を当該配列全体と対比可能に示す選択位置情報を、各都市標識Ｍが示す都市における時差の概略値を読み取り可能に示すことにより表示するサポート針１１及び時差表示領域６７と、ＣＰＵ４１と、ユーザ操作を受け付ける操作部４５と、を備え、ＣＰＵ４１は、都市ディスク１０の回転動作及びサポート針１１の表示動作を制御し、操作部４５により受け付けられたユーザ操作に応じて都市ディスク１０を回転動作させて表示させる都市標識Ｍを変更するとともに、当該都市標識Ｍの変更によって選択状態となる部分の位置を示すようにサポート針１１及び時差表示領域６７により示させる時差の概略値を変更する（表示制御手段）。このようにサポート針１１及び時差表示領域６７により都市標識Ｍと対応する時差の概略値が示されることで、透過小窓６５から都市ディスク１０の都市標識Ｍの一部のみしか視認することができないユーザに対し、都市標識Ｍの配列全体のうち選択状態となっている部分の位置を当該配列全体と対比可能に示すことができる。この結果、ユーザは、所望の都市標識Ｍを表示させるために必要な都市ディスク１０の回転量及び効率的な回転方向を容易に把握することができる。これにより、所望の都市標識Ｍを効率良く表示させ易くすることができる。
【００５８】
また、時差表示領域６７は、都市ディスク１０における複数の都市標識Ｍの配置に対応する領域であり、サポート針１１は、時差表示領域６７に対して相対移動して時差表示領域６７内の何れかの位置を選択的に示し、当該サポート針１１及び時差表示領域６７は、時差表示領域６７において複数の都市標識Ｍの配列全体のうち選択状態となっている部分と対応する位置をサポート針１１により示すことによって時差の概略値を示す。これにより、ユーザは、都市ディスク１０により表示されている都市標識Ｍの、複数の都市標識Ｍの配列全体における位置を、時差表示領域６７においてサポート針１１が示す位置に係る時差の概略値により容易に把握することができる。
【００５９】
また、複数の都市標識Ｍは、都市ディスク１０において文字盤６０の透過小窓６５に対応する円周上に配列されて設けられ、サポート針１１及び時差表示領域６７は、円形状の時差表示領域６７において複数の都市標識Ｍの配列全体のうち選択状態となっている部分と対応する位置をサポート針１１により示すことによって時差の概略値を示す。このような構成によれば、都市標識Ｍの円周上における配列と時差表示領域６７の形状とが対応するため、複数の都市標識Ｍの配列全体のうち選択状態となっている部分の位置を直観的に分かりやすい態様で示すことができる。
【００６０】
また、複数の都市標識Ｍの各々は、世界の都市を示し、都市ディスク１０には、複数の都市標識Ｍの各々により示される都市に係るＵＴＣからの時差に応じた順序で複数の都市標識Ｍが設けられ、サポート針１１及び時差表示領域６７は、複数の都市標識Ｍの配列全体のうち選択状態となっている部分が示す都市における時差の概略値を示す。これにより、都市ディスク１０を回転動作させるために操作部４５のりゅうずを回転操作するユーザは、複数の都市標識Ｍの配列全体のうち選択状態となっている部分に係る時差の概略値をサポート針１１の表示から把握することができる。よって、表示させたい都市標識Ｍに係る時差とサポート針１１により表示されている時差との差から、所望の都市標識Ｍを表示させるために必要な都市ディスク１０の回転量及び効率的な回転方向を容易に把握することができる。この結果、ユーザが世界の各都市の時差を十分に把握していない場合においても、所望の標識を効率良く表示させることができる。
【００６１】
また、電子時計１は、現在日時を計数する計時回路４８と、複数の都市標識Ｍの各々により示される都市に係るＵＴＣからの時差を少なくとも含む地方時設定情報を記憶するＲＯＭ４３とを備え、ＣＰＵ４１は、計時回路４８により計数されている日時及び地方時設定情報に基づいて、都市ディスク１０により表示されている都市標識Ｍにより示される都市に係る地方時を算出する（地方時算出手段）。これにより、容易に地方時の表示に係る設定を変更することができる。
【００６２】
（第２の実施形態）
次に、本発明の第２の実施形態を図面に基づいて説明する。第２の実施形態に係る電子時計１ａは、都市ディスク１０に代えて動作設定ディスク１０ａを、またサポート針１１に代えてサポート針１１ａを備え、動作設定ディスク１０ａの回転に応じて電子時計１の動作設定が行われる点で第１の実施形態と異なる。以下では、主に第１の実施形態との相違点について説明する。
【００６３】
図５は、第２の実施形態に係る電子時計１ａの模式正面図である。
この電子時計１ａは、上述した指針２〜９と、動作設定ディスク１０ａと、サポート針１１ａなどを備えている。
【００６４】
動作設定ディスク１０ａは、文字盤６０の露出面とは反対側に当該文字盤６０と平行に設けられた円環状の指針であり、その周縁部には、電子時計１ａの動作設定を示す複数の設定標識Ｍａが等間隔に所定の円弧上に配列されて設けられている。動作設定ディスク１０ａは、透過小窓６５から３つの設定標識Ｍａが露出されるようになっており、回転動作に応じて透過小窓６５から露出された一の設定標識Ｍａが指示標識６５１により指し示されることにより設定標識Ｍａを選択状態として表示する。
【００６５】
図６は、動作設定ディスク１０ａを示す正面図である。
図６に示されるように、動作設定ディスク１０ａには、全周の約１／３の範囲に亘って設定標識Ｍａが設けられている。なお、図６に示される設定標識Ｍａの配置は一例であり、例えば動作設定ディスク１０ａの全周に亘って設定標識Ｍａが設けられていても良い。
【００６６】
動作設定ディスク１０ａでは、設定標識Ｍａは、電子時計１の動作設定に係る３つの設定種別（「ＭＯＤＥ」、「ＲＥＣＥＩＶＩＮＧ」、「ＡＬＡＲＭ」）に区分されて、この設定種別ごとに所定の順序で配置されている。
３つの設定種別のうち「ＭＯＤＥ」には、電子時計１の動作モードに係る設定標識Ｍａが割り当てられている。具体的には、「ＭＯＤＥ」の設定種別には、基本時計表示、ストップウォッチ、タイマー、コンパス、高度計、気圧計、潮汐計の動作モードをそれぞれ示す設定標識「ＴＩＭＥ」、「ＳＴＷ」、「ＴＲ」、「ＣＯＭＰ」、「ＡＬＴＩ」、「ＢＡＲＯ」、「ＴＩＤＥ」が割り当てられている。
また、「ＲＥＣＥＩＶＩＮＧ」の設定種別には、電子時計１の電波受信設定に係る設定標識Ｍａが割り当てられている。この「ＲＥＣＥＩＶＩＮＧ」の設定種別に割り当てられた設定標識Ｍａには、衛星電波受信処理部５２によりＧＰＳ衛星からの送信電波から日時情報のみを取得する設定を示す「ＧＰＳＴ」、ＧＰＳ衛星からの送信電波から日時情報及び現在位置情報の双方を取得する設定を示す「ＧＰＳＴＰ」、衛星電波受信処理部５２を用いず標準電波受信処理部５０により標準電波を受信する設定を示す「ＲＣ」がある。
また、「ＡＬＡＲＭ」の設定種別には、電子時計１のアラーム機能の設定に係る設定標識Ｍａが割り当てられている。即ち、「ＡＬＡＲＭ」の設定種別には、各々異なるアラーム時刻を設定可能な５つのアラームモードを示す設定標識「ＡＬ１」〜「ＡＬ５」、及びスヌーズ設定に係る設定標識「ＳＮＺ」が割り当てられている。
【００６７】
サポート針１１ａは、文字盤６０の３時位置に設けられた設定範囲表示領域６８（対応領域部）において、動作設定ディスク１０ａにより表示されている設定標識Ｍａに対応する位置を示すことにより選択位置情報を表示する指針である。設定範囲表示領域６８は、動作設定ディスク１０ａのうち設定標識Ｍａが設けられた範囲に対応する一定の幅を有した円弧形状をなす領域である。当該標識の円弧形状の中心角は、動作設定ディスク１０ａのうち設定標識Ｍａが設けられた円弧の中心角と等しくなっている。また、設定範囲表示領域６８は、動作設定ディスク１０ａにおける設定標識Ｍａの３つの設定種別（「ＭＯＤＥ」、「ＲＥＣＥＩＶＩＮＧ」、「ＡＬＡＲＭ」）の配置範囲と対応した範囲に区切られている。従って、サポート針１１ａは、設定範囲表示領域６８において、動作設定ディスク１０ａにより表示されている設定標識Ｍａに対応する位置と併せて、当該設定標識Ｍａが属する設定種別を選択位置情報として表示する。なお、設定範囲表示領域６８は、上記円弧形状に代えて、当該円弧形状と同一の中心角を有する他の図形、例えば扇形とされていても良い。本実施形態では、サポート針１１ａ及び設定範囲表示領域６８により選択位置情報表示手段が構成される。
【００６８】
第２の実施形態の電子時計１ａでは、操作部４５のりゅうずが回転操作されることにより、動作設定ディスク１０ａが、上述した３つの設定種別に亘る設定標識Ｍａを表示可能な範囲で回転動作される。また、この動作設定ディスク１０ａの回転動作に合わせてサポート針１１ａが回転動作し、サポート針１１ａにより、設定範囲表示領域６８のうち動作設定ディスク１０ａにより表示されている設定標識Ｍａに対応する対応位置が常に表示される。
また、電子時計１ａでは、動作設定ディスク１０ａにより表示される設定標識Ｍａが変更されると、電子時計１の動作モードや動作設定が、表示された設定標識Ｍａに対応する動作モードや動作設定に切り替わるようになっている。電子時計１の動作モードがストップウォッチ、タイマー、コンパス、高度計、気圧計、潮汐計にそれぞれ設定された場合には、小窓６３において小分針７及び／又は小時針８により各動作モードに応じた表示が行われる。このうちコンパス、高度計、気圧計及び潮汐計の各動作モードにおける方位、高度、気圧及び潮汐の値は、小窓６３の周囲に設けられた図示しない目盛が小分針７及び／又は小時針８により示されることで表示される。
【００６９】
このように、第２の実施形態に係る電子時計１では、複数の設定標識Ｍａは、動作設定ディスク１０ａにおいて文字盤６０の透過小窓６５に対応する円弧上に配列されて設けられ、サポート針１１ａ及び設定範囲表示領域６８は、上記円弧の中心角と同一の中心角を有する円弧形状をなす設定範囲表示領域６８において複数の設定標識Ｍａの配列全体のうち選択状態となっている部分と対応する位置をサポート針１１により示すことによって選択位置情報を表示する。このような構成によれば、設定標識Ｍａが配列された円弧と設定範囲表示領域６８の円弧形状とが対応するため、複数の設定標識Ｍａの配列における現在表示されている設定標識Ｍａの位置を直観的に分かりやすい態様で示すことができる。
【００７０】
また、複数の設定標識Ｍａの各々は、電子時計１ａの動作に係る複数の設定種別に各々属する設定を示し、動作設定ディスク１０ａには、複数の設定標識Ｍａが複数の設定種別ごとに設けられ、上記選択位置情報には、複数の設定標識Ｍａの各々が属する設定種別が含まれる。これにより、電子時計１ａのユーザは、表示させたい設定標識Ｍａが属する設定種別と現在表示されている設定標識Ｍａに係る設定種別との位置関係をサポート針１１の表示から把握することができる。よって、所望の設定標識Ｍａを表示させるために必要な動作設定ディスク１０ａの回転量及び効率的な回転方向を容易に把握することができる。これにより、ユーザが所望の設定標識Ｍａを効率良く表示させ易くすることができる。
【００７１】
また、ＣＰＵ４１は、動作設定ディスク１０ａにより表示されている設定標識Ｍａにより示される設定に従って電子時計１ａの動作設定を行う（設定手段）。これにより、容易に電子時計１ａの動作設定を変更することができる。
【００７２】
なお、本発明は、上記実施の形態に限られるものではなく、様々な変更が可能である。
例えば、上記各実施形態では、都市ディスク１０（動作設定ディスク１０ａ）とサポート針１１（１１ａ）とが別個のステッピングモータのステップ動作により互いに独立して回転動作される例を用いて説明したが、都市ディスク１０（動作設定ディスク１０ａ）とサポート針１１（１１ａ）とを一のステッピングモータのステップ動作により互いに連動して回転動作させても良い。
【００７３】
また、上記各実施形態では、サポート針１１，１１ａとして針状の指針を用いる例を挙げて説明したが、これに代えてディスク形などの他の形状の指針を用いても良い。また、サポート針１１，１１ａは、回転動作により表示を行うものに限られず、例えば直線上の移動範囲内を移動することで表示を行う指針などであっても良い。
【００７４】
また、上記各実施形態では、指示部としてのサポート針１１，１１ａを回転動作させることにより、固定された対応領域部としての時差表示領域６７，設定範囲表示領域６８において選択位置情報を表示する例を用いて説明したが、これに限定する趣旨ではなく、指示部を固定させて対応領域部を動作させても良い。例えば、第１実施形態では、固定されたサポート針１１に対して時差表示領域６７を回転させることにより時差の概略値を示しても良い。また、第２実施形態では、固定されたサポート針１１ａに対して設定範囲表示領域６８を移動させることにより選択位置情報を表示しても良い。
【００７５】
また、上記各実施形態のサポート針１１，１１ａによる表示を他の指針により行わせる構成としても良い。例えば、サポート針１１，１１ａに代えて、秒針２を用いても良い。秒針２を用いる構成を上記第１の実施形態に適用する場合には、文字盤６０の周縁部やベゼルなどにタイムゾーンを示す標識を設ければ良い。また、上記構成を第２の実施形態に適用する場合には、文字盤６０の周縁部やベゼルなどに設定範囲表示領域６８に相当する標識を設ければ良い。
【００７６】
また、上記第１の実施形態では、時差表示領域６７においてサポート針１１が指し示す位置により時差の概略値を表す例を用いて説明したが、これに限定する趣旨ではない。例えば、ディスク形の指針に設けられた時差を示す複数の標識の一部を透過小窓から露出させることにより時差を表示させても良い。また、デジタル表示が可能な液晶表示体といった表示部により時差を表示させても良い。電子時計１のユーザは、透過小窓６５において表示されている都市標識Ｍの時差を知ることができれば、都市ディスク１０上の都市標識Ｍの配列全体における表示されている都市標識Ｍの位置を把握することができる。このため、上記のような態様によっても、時差を示すことによって、複数の都市標識Ｍの配列全体のうち透過小窓６５において選択状態となっている部分の位置を当該配列全体と対比可能に示すことができる。
【００７７】
また、上記各実施形態では、文字盤６０に設けられた露出部としての透過小窓６５から都市標識Ｍや設定標識Ｍａを露出させる例を用いて説明したが、これに限定する趣旨ではない。例えば、文字盤６０に設けられた切り欠きから都市標識Ｍや設定標識Ｍａを露出させる構成としても良い。また、文字盤６０が複数のパーツからなる場合において、当該複数のパーツの間隙から都市標識Ｍや設定標識Ｍａを露出させる構成としても良い。また、これらの露出部は、都市標識Ｍや設定標識Ｍａを識別可能な状態で露出させるものであれば良く、都市標識Ｍや設定標識Ｍａでの反射光の一部を吸収したり散乱させたりする部材が露出部に用いられていても良い。
【００７８】
また、上記各実施形態では、遮光性を有する文字盤６０が用いられる例を挙げて説明したが、文字盤６０は、都市標識Ｍや設定標識Ｍａを認識不能な状態で遮蔽することが可能な透光性を有する部材により構成されていても良い。このような部材としては、微細な光透過穴が設けられた遮光板や、すりガラスなどが挙げられる。
【００７９】
また、上記各実施形態では、指針により表示を行うアナログ方式の電子時計１を例に挙げて説明したが、文字盤６０に液晶パネル等のデジタル表示部を備え、アナログ方式及びデジタル方式の双方による表示が可能な電子時計に本発明を適用しても良い。
【００８０】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００８１】
［付記］
＜請求項１＞
表示対象に係る複数の標識が所定の順序で配列されて設けられた回転表示体と、
前記複数の標識のうち一の標識を選択状態として識別可能に外部に露出させる露出部が設けられた遮蔽板と、
前記複数の標識の配列全体のうち前記選択状態となっている部分の位置を当該配列全体と対比可能に示す選択位置情報を表示する選択位置情報表示手段と、
前記回転表示体の回転動作及び前記選択位置情報表示手段の表示動作を制御する表示制御手段と、
ユーザ操作を受け付ける操作受付手段と、
を備え、
前記表示制御手段は、前記操作受付手段により受け付けられたユーザ操作に応じて前記回転表示体を回転動作させて表示させる標識を変更するとともに、当該標識の変更によって前記選択状態となる部分の位置を示すように前記選択位置情報表示手段により表示させる前記選択位置情報を変更する
ことを特徴とする電子時計。
＜請求項２＞
前記選択位置情報表示手段は、前記回転表示体における前記複数の標識の配置に対応する対応領域部と、当該対応領域部に対して相対移動して前記対応領域部内の何れかの位置を選択的に示す指示部と、を有し、前記対応領域部において、前記選択状態となっている部分と対応する位置を前記指示部により示すことによって前記選択位置情報を表示することを特徴とする請求項１に記載の電子時計。
＜請求項３＞
前記複数の標識は、前記回転表示体において前記露出部に対応する円周上に配列されて設けられ、
前記選択位置情報表示手段は、円形状の前記対応領域部において、前記選択状態となっている部分と対応する位置を前記指示部により示すことによって前記選択位置情報を表示する
ことを特徴とする請求項２に記載の電子時計。
＜請求項４＞
前記複数の標識は、前記回転表示体において前記露出部に対応する円弧上に配列されて設けられ、
前記選択位置情報表示手段は、前記円弧の中心角と同一の中心角を有する図形の形状をなす前記対応領域部において、前記選択状態となっている部分と対応する位置を前記指示部により示すことによって前記選択位置情報を表示する
ことを特徴とする請求項２に記載の電子時計。
＜請求項５＞
前記複数の標識の各々は、世界の地域を示し、
前記回転表示体には、前記複数の標識の各々により示される地域における所定の標準時からの時差に応じた順序で前記複数の標識が設けられ、
前記選択位置情報表示手段は、前記選択状態となっている部分が示す地域における前記時差の概略値を読み取り可能に示すことにより前記選択位置情報を表示する
ことを特徴とする請求項１〜４の何れか一項に記載の電子時計。
＜請求項６＞
現在日時を計数する計時手段と、
前記複数の標識の各々により示される地域に係る前記時差を少なくとも含む地方時設定情報を記憶する記憶手段と、
前記計時手段により計数されている日時及び前記地方時設定情報に基づいて、前記回転表示体により表示されている前記標識により示される地域に係る地方時を算出する地方時算出手段と、
を備えることを特徴とする請求項５に記載の電子時計。
＜請求項７＞
前記複数の標識の各々は、当該電子時計の動作に係る複数の設定種別に各々属する設定を示し、
前記回転表示体には、前記複数の標識が前記複数の設定種別ごとに設けられ、
前記選択位置情報には、前記複数の標識の各々が属する設定種別が含まれる
ことを特徴とする請求項１〜４の何れか一項に記載の電子時計。
＜請求項８＞
前記回転表示体により表示されている前記標識により示される設定に従って当該電子時計の動作設定を行う設定手段を備える
ことを特徴とする請求項７に記載の電子時計。
【符号の説明】
【００８２】
１，１ａ  電子時計
２  秒針
３  分針
４  時針
５  日車
６  機能針
７  小分針
８  小時針
９  ２４時間小針
１０  都市ディスク
１０ａ  動作設定ディスク
１１，１１ａ  サポート針
２１〜２６  輪列機構
３１〜３６  ステッピングモータ
３９  駆動回路
４１  ＣＰＵ
４２  ＲＯＭ
４２ａ  都市時差情報
４３  ＲＡＭ
４４  電源部
４５  操作部
４６  発振回路
４７  分周回路
４８  計時回路
４９  計測部
５０  標準電波受信処理部
５２  衛星電波受信処理部
５１，５３  アンテナ
６０  文字盤
６１，６５  透過小窓
６２  曜日標識
６３，６４，６６  小窓
６５１  指示標識
６７  時差表示領域
６８  設定範囲表示領域
Ｍ  都市標識
Ｍａ  設定標識
【図１】
0006565523.tif 000002
【図２】
0006565523.tif 000003
【図３】
0006565523.tif 000004
【図４】
0006565523.tif 000005
【図５】
0006565523.tif 000006
【図６】
0006565523.tif 000007